(57)【要約】      （修正有）【課題】ビールを含む酒類、ジュース類、お茶類、水、炭酸ガス入りの飲料等を自然に注出でき飲みやすいステイオンタブを備えた飲料用缶を提供する。【解決手段】飲料用に使用されるとともに、缶を開けた後であっても、タブが分離しないタイプのものである。缶体は、たとえば、ツーピースまたはスリーピースから構成されている。上部には、プレスの下死点制御によって成形された溝部があり、タブを引き上げることにより、溝部に沿って開口部が形成される。すなわち、溝部によって囲まれた領域は、タブの引き上げにより、飲料の出口となる。【選択図】図１
2006160303.tif 000002
【特許請求の範囲】
【請求項１】
飲料用に使用されるステイオンタブを備えた缶において、
ツーピースまたはスリーピースから構成された缶体と、
前記上部に設けられた第１の開口部を得るための第１の溝部と、
前記溝部によって一部を除いて囲まれた領域と、
前記領域の一端に固着されているとともに、前記上部に第２の開口部を設けるために上部に折り曲げられ、その下部に向かって突出した凸起部を備えたタブと、
前記上部に設けられ、前記凸起部の押圧により第２の開口部を得るための第２の溝部と、
前記上部の周囲を囲むとともに、前記タブの高さより高いリブと、
から少なくとも構成されていることを特徴とするステイオンタブを備えた缶。
【請求項２】
飲料用に使用されるステイオンタブを備えた缶において、
ツーピースまたはスリーピースから構成された缶体と、
前記上部に設けられた第１の開口部を得るための第１の溝部と、
前記溝部によって一部を除いて囲まれた領域と、
前記領域の一端に固着され、前記缶の上部に沿った部分を有しているとともに、前記上部に第２の開口部を設けるために、上部に折り曲げられ、その下部に向かって突出した凸起部を備えたタブと、
前記上部に設けられ、前記凸起部の押圧により第２の開口部を得るための第２の溝部と、
前記上部の周囲を囲むとともに、前記タブの高かさより高いリブと、
から少なくとも構成されていることを特徴とするステイオンタブを備えた缶。
【請求項３】
前記凸起部は、三角錐からなっていることを特徴とする請求項１または請求項２に記載されたステイオンタブを備えた缶。
【請求項４】
飲料用に使用されるステイオンタブを備えた缶において、
ツーピースまたはスリーピースから構成された缶体と、
前記上部に設けられた第１の開口部を得るための第１の溝部と、
前記溝部によって一部を除いて囲まれた領域と、
前記領域の一端に固着されているとともに、第１の開口部を開ける部分と、前記部分の反対側に第２の開口部を設けるために一部が連設された第１の孔および第２の孔を開け、それぞれを互いに接近するように折り曲げて成形されたブレード状突起部および前記ブレード状突起部と一定の距離を有するタブ押圧部（押上部）とを備えたタブと、
前記上部に設けられ、前記ブレード状突起部の押圧により第２の開口部を得るための第２の溝部と、
前記上部の周囲を囲むとともに、前記タブの高さより高いリブと、
から少なくとも構成されていることを特徴とするステイオンタブを備えた缶。
【請求項５】
前記ブレード状突起部は、先端が尖っているとともに、前記第２の溝部に沿うように湾曲していることを特徴とする請求項４に記載されたステイオンタブを備えた缶。
【請求項６】
前記ブレード状突起部は、前記第２の溝部とほぼ同じ位置関係にあることを特徴とする請求項４または請求項５に記載されたステイオンタブを備えた缶。
【請求項７】
前記ブレード状突起部は、タブ押圧部を押圧する際に梃子の作用が働くことを特徴とする請求項４から請求項６のいずれか１項に記載されたステイオンタブを備えた缶。
【請求項８】
前記ブレード状突起部は、前記第１の孔または前記第２の孔の一方を折り曲げることにより湾曲状に成形されていることを特徴とする請求項４から請求項７のいずれか１項に記載されたステイオンタブを備えた缶。
【請求項９】
前記第２の開口部は、前記第１の開口部より小さいことを特徴とする請求項１から請求項８のいずれか１項に記載されたステイオンタブを備えた缶。
【請求項１０】
前記リブの高さは、前記上面から８ｍｍないし１０ｍｍであり、前記タブの最高位置は、前記上面から４ｍｍないし６ｍｍであることを特徴とする請求項１から請求項９のいずれか１項に記載されたステイオンタブを備えた缶。
【請求項１１】
前記領域の一端に固着された位置から、前記缶の上部に沿った部分の位置は、９ｍｍ以下であることを特徴とする請求項１から請求項１０のいずれか１項に記載されたステイオンタブを備えた缶。
【発明の詳細な説明】
【技術分野】
【０００１】
本発明は、飲料、たとえば、ビールを含む酒類、ジュース類、お茶類（コーヒー、日本茶、その他の国のお茶も含む）、水、炭酸ガス入りの飲料等を入れるステイオンタブを備えた缶に関するものである。特に、本発明は、環境の汚染を防止するために、近年普及が著しいタブが分離しないステイオンタブを備えた缶に関するものである。
【背景技術】
【０００２】
特開２００３−１２０４９号公報に記載された飲用容器の飲用制御構造は、ビール、炭酸ガス入り飲料、および通常の飲料における本来の旨味を引き出すことができるものであり、ステイオンタブ式ビール缶の蓋に、開口部の一部を覆う飲用制御部が設けられている。前記制御部は、空気の流入を制御することにより、前記飲料の旨味を引き出すようにしている。その他に、ステイオンタブ式の缶は、清潔状態を保持するためのシール構造体を備えた特開平１０−２１４０２７号公報等がある。
【特許文献１】特開２００３−１２０４９号公報
【特許文献２】特開平１０−２１４０２７号公報
【発明の開示】
【発明が解決しようとする課題】
【０００３】
前記従来のステイオンタブを備えた缶は、開口部を開けた直後、空気が缶内に入っていないため、飲料の出方に不自然さがあった。また、前記缶のリブに口を付けて飲料を飲む場合、利用者は、リブの高さが低いため、缶の上面が唇等に当たり、不快感を覚える場合がしばしばあった。さらに、前記缶のタブは、前記缶の上面にほぼ付いた状態で設けられているため、指が入り難く、道具を使用しないと開かない場合があった。特に、力のない子供やお年寄りは、指を使用して開けることが困難であった。
【０００４】
以上のような課題を解決するために、本発明は、缶内の飲料が自然に出ることにより、飲み易いステイオンタブを備えた缶を提供することを目的とする。また、本発明は、缶から飲料を飲んだ場合、上面が唇等に当たることがなく、容器に注いだ飲料を飲んでいる感覚を得ることができるステイオンタブを備えた缶を提供することを目的とする。さらに、本発明は、子供やお年寄りであっても、容易に缶を開けることができるステイオンタブを備えた缶を提供することを目的とする。
【課題を解決するための手段】
【０００５】
（第１発明）
第１発明のステイオンタブを備えた缶は、飲料用に使用されるものであり、ツーピースまたはスリーピースから構成された缶体と、前記上部に設けられた第１の開口部を得るための第１の溝部と、前記溝部によって一部を除いて囲まれた領域と、前記領域の一端に固着されているとともに、前記上部に第２の開口部を設けるための凸起部を備えたタブと、前記上部に設けられ、前記凸起部の押圧により第２の開口部を得るための第２の溝部と、前記上部の周囲を囲むとともに、前記タブの高さより高いリブとから少なくとも構成されていることを特徴とする。
【０００６】
（第２発明）
第２発明のステイオンタブを備えた缶は、飲料用に使用されるものであり、ツーピースまたはスリーピースから構成された缶体と、前記上部に設けられた第１の開口部を得るための第１の溝部と、前記溝部によって一部を除いて囲まれた領域と、前記領域の一端に固着され、前記缶の上部に沿った部分を有しているとともに、前記上部に第２の開口部を設けるために、上部に折り曲げられ、その下部に向かって突出した凸起部を備えたタブと、前記上部に設けられ、前記凸起部の押圧により第２の開口部を得るための第２の溝部と、前記上部の周囲を囲むとともに、前記タブの高さより高いリブとから少なくとも構成されていることを特徴とする。
【０００７】
（第３発明）
第３発明のステイオンタブを備えた缶は、第１発明および第２発明の凸起部が三角錐からなっていることを特徴とする。
【０００８】
（第４発明）
第４発明の飲料用に使用されるステイオンタブを備えた缶は、ツーピースまたはスリーピースから構成された缶体と、前記上部に設けられた第１の開口部を得るための第１の溝部と、前記溝部によって一部を除いて囲まれた領域と、前記領域の一端に固着されているとともに、第１の開口部を開ける部分と、前記部分の反対側に第２の開口部を設けるために一部が連設された第１の孔および第２の孔を開け、それぞれを互いに接近するように折り曲げて成形されたブレード状突起部および前記ブレード状突起部と一定の距離を有するタブ押圧部（押上部）とを備えたタブと、前記上部（蓋となる部分）に設けられ、前記ブレード状突起部の押圧により第２の開口部を得るための第２の溝部と、前記上部の周囲を囲むとともに、前記タブの高さより高いリブとから少なくとも構成されていることを特徴とする。
【０００９】
（第５発明）
第５発明のステイオンタブを備えた缶は、第４発明のブレード状突起部の先端が尖っているとともに、前記第２の溝部に沿うように湾曲していることを特徴とする。
【００１０】
（第６発明）
第６発明のステイオンタブを備えた缶は、第４発明または第５発明のブレード状突起部が第２の溝部とほぼ同じ位置関係にあることを特徴とする。
【００１１】
（第７発明）
第７発明のステイオンタブを備えた缶は、第４発明から第６発明のブレード状突起部において、タブ押圧部を押圧する際に梃子の作用が働くことを特徴とする。
【００１２】
（第８発明）
第８発明のステイオンタブを備えた缶は、第４発明から第７発明におけるブレード状突起部が第１の孔または前記第２の孔の一方を折り曲げることにより湾曲状に成形されていることを特徴とする。
【００１３】
（第９発明）
第９発明のステイオンタブを備えた缶は、第１発明から第８発明の第２の開口部が第１の開口部より小さいことを特徴とする。
【００１４】
（第１０発明）
第１０発明のステイオンタブを備えた缶は、第１発明から第９発明のリブの高さが上部（蓋となる部分）から８ｍｍないし１０ｍｍであり、前記タブの最高位置は、前記上部から４ｍｍないし６ｍｍであることを特徴とする。
【００１５】
（第１１発明）
第１１発明のステイオンタブを備えた缶は、第１発明から第１０発明における領域の一端に固着された位置から、前記缶の上部に沿った部分の位置が９ｍｍ以下であることを特徴とする。
【発明の効果】
【００１６】
本発明によれば、凸起部による押圧で、第２の開口部が適度の空気を缶内に入れるための開口となるため、缶内の飲料が第１の開口部から自然に出るので、飲み易い。また、本発明によれば、リブの高さが通常の缶より高いため、缶から直接飲料を飲んでも、上面が唇等に当たることがなく、容器に注いだ飲料を飲んでいる感覚を得ることができる。さらに、本発明によれば、凸起部を設けたことにより、タブと上面との間に指を入れるだけの高さができるため、道具を使用しなくとも子供やお年寄りが容易に缶を開けることができる。また、本発明によれば、リブを高くしているため、缶の上に物が置かれても、タブに設けられた凸起部によって、第２の開口部を開けることがない。
【００１７】
本発明によれば、ステイオンタブが固着されている一端から、前記缶の上部に沿った部分の位置が、たとえば、５ｍｍから９ｍｍ以下にしたことにより、前記ステイオンタブを持ち上げる際に、最初面を支点として力が入り、その後、固着部分から折り曲げられるため、ステイオンタブが折れて缶と分離されることがない。
【００１８】
本発明によれば、ブレード状突起部が第２の開口部を得るための第２の溝部に当接してタブ押圧部（押上部）を押圧することにより、第２の開口部（隙間）が容易に成形される。  
【００１９】
本発明によれば、ブレード状突起部に湾曲が成形されているため、平らなブレードと比較して、強度が強く、第２の開口部を容易に成形することができる。
【００２０】
本発明によれば、ブレード状突起部の湾曲と第２の溝部の曲線が一致しているため、タブ押圧部（押上部）にかかる力が少なくても、容易に開口を成形することができる。
【００２１】
本発明によれば、ブレード状突起部とタブ押圧部（押上部）とが所定距離だけ離れているため、その部分が梃子となって、少ない力で所望の第２の開口部（隙間）が成形することができる。
【発明を実施するための最良の形態】
【００２２】
（第１発明）
第１発明のステイオンタブを備えた缶は、飲料用に使用されるとともに、缶を開けた後であっても、タブが分離しないタイプのものである。前記缶の缶体は、たとえば、ツーピースまたはスリーピースから構成されている飲料用として、普通のものである。また、前記上部には、プレスの下死点制御によって成形された第１の溝部があり、前記タブを引き上げることにより、前記第１の溝部に沿って第１の開口部が形成される。すなわち、前記第１の溝部によって一部を除いて囲まれた領域は、前記タブの引き上げにより、飲料の出口となる。
【００２３】
また、前記タブは、前記領域の一端に固着されているとともに、前記上部にもう一つの第２の開口部を設けるための凸起部が備えられている。さらに、缶体の上部は、前記第１の開口部と対向した位置に、前記凸起部の押圧により第２の開口を設けるための第２の溝部がプレスの下死点制御によって設けられている。さらに、前記缶体の上部は、周囲を囲むとともに、前記タブより高いリブが設けられている。第１発明のステイオンタブを備えた缶は、最初、前記タブを押し下げることにより、一つの第２の開口部が僅かに形成されて、当該第２の開口部から空気が缶内に入る。その後、通常の缶を開ける時と同様に、前記タブは、持ち上げられることにより、前記第１の溝部に沿った第１の開口部が形成され、飲料の出口となる。
【００２４】
第１発明は、前記タブに成形された凸起部で第２の開口部を設け、缶内に空気を一旦送った後に、飲料の出口となる第１の開口部を設けるようにしているため、飲料の出方が自然に出るようになる。また、リブの高さは、前記タブより高く作製されているため、缶の上に物が置かれても第２の開口部が開いてしまうことがない。さらに、前記タブの下方に凸起部が成形されているため、使用者は、タブに指が入り易く第１の開口部を容易に開けることができる。
【００２５】
（第２発明）
第２発明のステイオンタブを備えた缶は、前記缶の上部において、ステイオンタブが固着された位置から所定の長さ前記缶の上部に沿った部分を有している点で、第１発明と異なっている。前記ステイオンタブは、固着された位置から所定の長さ、前記缶の上部に沿った部分があると、前記ステイオンタブを引き上げる際に、前記部分が面による支点となり、固着部分から折り曲げられた際に分離することがない。第１発明は、缶の材料が比較的強いものであり、第２発明は、缶の材料がアルミニウムのように柔らかくても良い。
【００２６】
（第３発明）
第３発明のステイオンタブを備えた缶において、第１発明および第２発明の凸起部は、三角錐から構成されている。前記三角錐は、前記タブを押し下げた際に、適度の大きさの第２の開口部を作製することができるため、適度の空気を缶内に送り込むことができ、第１の開口部から飲料が自然に出て来る。
【００２７】
（第４発明）
第４発明のステイオンタブを備えた缶は、ステイオンタブの下部にブレード状突起部を備えている点で、第１発明および第２発明と異なっている。前記ステイオンタブは、第１の溝部の端部に固着されているとともに、第１の開口部を開ける部分と、前記部分の反対側に、前記第１の開口部および第２の開口部を開けるためのタブ押圧部（押上部）とを備えている。前記タブ押圧部には、一部が連設された第１の孔および第２の孔が開けられている。前記タブ押圧部は、押し上げられると第１の開口部が開けられる。
【００２８】
前記第１の孔および第２の孔は、連設された部分があるため、それぞれを互いに接近するように折り曲げると、ブレード状突起部が成形される。前記第１の孔および第２の孔は、前記ブレード状突起部および湾曲できるような形状のものである。前記ブレード状突起部は、第２の開口部を得るための第２の溝部に当接して、前記タブ押圧部（押上部）を下方に押圧することで、第２の開口部（隙間）が成形される。
【００２９】
（第５発明）
第５発明のステイオンタブを備えた缶は、第４発明のブレード状突起部において、先端が尖っているとともに、第４発明の第２の溝部に沿うように湾曲している。前記ブレード状突起部に成形された湾曲は、平らなブレードと比較して、強度が強く、第２の開口部を容易に成形できる。
【００３０】
（第６発明）
第６発明のステイオンタブを備えた缶は、第４発明または第５発明のブレード状突起部が第２の溝部とほぼ同じ位置関係にある。すなわち、前記ブレード状突起部の湾曲と第２の溝部の曲線が一致するため、タブ押圧部（押上部）にかかる力が少なくても、容易に第２の開口部を成形することができる。
【００３１】
（第７発明）
第７発明のステイオンタブを備えた缶は、第４発明から第６発明におけるブレード状突起部がタブ押圧部を押圧する際に梃子の作用が働く。前記ブレード状突起部と前記タブ押圧部（押上部）とは、距離が離れているため、その部分が梃子となって少ない力で所望の第２の開口部（隙間）が成形される。
【００３２】
（第８発明）
第８発明のステイオンタブを備えた缶は、第４発明から第７発明におけるブレード状突起部が第１の孔または前記第２の孔の一方を下方向に折り曲げることにより湾曲状に成形されている。前記第１の孔または第２の孔は、一方のみを開けるだけで済むため、安価にできる。また、一枚のブレード状突起部は、湾曲させることにより、第２の開口部を開けるに足る強度を持たせることができる。
【００３３】
（第９発明）
第９発明のステイオンタブを備えた缶において、第１発明から第８発明における第２の開口部は、前記第１の開口部より小さくなるように形成されている。第１の開口部と第２の開口部とは、ほぼ同じでも良いが、逆に、第２の開口部の方を大きくしない方が望ましい。第１の開口部と第２の開口部が前記各発明のような関係にある場合、飲料の飲み始めに第２の開口部から飲料が溢れることがない。第１の開口部と第２の開口部との大きさの関係は、缶の容量によって必ずしも一定ではない。また、前記第２開口部は、開口というよた、間隙といったものである。
【００３４】
（第１０発明）
第１０発明のステイオンタブを備えた缶において、第１発明から第９発明のいずれかにおけるリブの高さは、缶の上面から８ｍｍないし１０ｍｍであり、前記タブの最高位置は、前記上面から４ｍｍないし６ｍｍであることが望ましい。前記リブと前記タブの高さ関係は、無条件であると、前記缶を重ねた場合、あるいは物を乗せた場合に、タブを押して第２の開口部を開けてしまう恐れがある。したがって、第４発明の高さ関係は、発明として重要なポイントである。
【００３５】
（第１１発明）
第１１発明のステイオンタブを備えた缶は、第２発明から第１０発明における領域の一端に固着された位置から、前記缶の上部に沿った部分の位置が、たとえば、５ｍｍから９ｍｍ以下である。すなわち、前記ステイオンタブにおいて、缶の上部に固着された位置から折り曲げ位置まで距離は、短い場合、第１の開口部を開ける力が狭い領域にかかるため、前記ステイオンタブが固着位置から折れる恐れがある。また、缶の大きさを考慮して、前記部分の幅は、９ｍｍ程度が上限であることが実験により判った。
【実施例１】
【００３６】
図１は本発明の第１実施例であるステイオンタブを備えたビール缶を説明するための斜視図である。図２は本発明の実施例であるステイオンタブを備えた缶を説明するための側面図である。図３は本発明の実施例であるステイオンタブを備えた缶を説明するための平面図である。図１から図３において、ビール缶１１は、たとえば、ツーピースからなり、底部１１１から一体になった筒部１１１′と、前記筒部１１１′を塞ぐ上部に設けられた上面１１２と、その周囲に設けられたリブ１１３とから構成されている。前記リブ１１３は、通常の缶と比較して高さが高くなっており、たとえば、８ｍｍから１０ｍｍにしている。前記リブ１１３の高さは、ビールを飲む際に、口当たりがマグカップのようであり、ビールの味を倍加する。
【００３７】
ステイオンタブ１１４は、第１の開口部１１８の一端に固着部１１６として、固着されている。また、前記第１の開口部１１８は、プレスの下死点制御により、溝部１１７が設けられ、前記ステイオンタブ１１４を引き上げることにより、前記溝部１１７に沿って第１の開口部１１８ができる。さらに、前記ステイオンタブ１１４は、引き上げる部分の下に、たとえば、三角錐状の凸起部１１５が設けられている。前記凸起部１１５は、前記ステイオンタブ１１４を押し下げることにより、缶１１の上面１１２に設けられた第２の溝部１１９に沿って第２の開口部を開けることができる。前記凸起部１１５によってできる第２の開口部は、第２の溝部１１９に沿った隙間のようなものである。
【００３８】
前記ステイオンタブ１１４は、前記リブ１１３より低く、缶１１を開ける際に都合のよい高さであり、たとえば、６ｍｍから８ｍｍ程度の場合、都合が良かった。前記凸起部１１５は、三角錐状以外の凸起にすることもできる。三角錐の凸起１１５は、前記第２の開口部を適度の大きさにすることができるため、ビールの溢れもなく、都合が良かった。前記凹部１１７の作製は、通常の下死点制御を用いたプレス加工で行うことができる。
【実施例２】
【００３９】
図４は本発明の第２実施例であるステイオンタブを備えたビール缶を説明するための断面図である。図５は本発明の第２実施例であるステイオンタブを備えたビール缶の平面図である。図６は本発明の第２実施例であるステイオンタブを備えたビール缶を開けた状態を説明するための断面図である。図４から図６において、第１実施例と異なるところは、ステイオンタブ１１４が固着部１１６から折れ曲げ部１２０まで、缶１１の上部に沿っている点にある。すなわち、ステイオンタブ１１４は、折れ曲げ部１２０から折り曲げられて、引上げ易くなっているとともに、前記ステイオンタブを引き上げた際に、前記第１開口部１１８を開ける力の支点が最初面で受け、その後、固着部１６に移る。したがって、前記第１の開口部を開ける最初の一番大きい力を面で受け、その後、固着部１１６の点に移るため、前記ステイオンタブ１４が前記固着部１１６で折れて分離することがない。
【００４０】
前記第２実施例は、ツーピースからなる缶の蓋が工夫されている。すなわち、前記缶の蓋は、缶体と別々に製造される場合が多い。また、前記蓋は、前記缶体に取り付けるための蓋取付用足１２１が設けられている。前記第２実施例は、第２の開口部１１８′を開ける突起がタブに付いているため、この高さ分、前記蓋取付用足１２１の長さも長くする必要がある。図６に示す蓋取付用足１２１は、蓋の製造に際し、互いに重ね合わせても、前記蓋取付用足１２１の長さにより、前記突起により、前記蓋に第２の開口部１１８′が開けられない。
【実施例３】
【００４１】
図７は本発明の第３実施例であるステイオンタブを備えたビール缶を説明するための概略断面図である。図８は本発明の第３実施例であるステイオンタブを備えたビール缶の平面図である。図９（イ）は本発明の第３実施例であるステイオンタブを備えたビール缶の第２の開口部をブレード状突起で開ける際の状態を説明するための一部拡大概略断面図で、（ロ）は同じく変形例である。図１０は本発明の第３実施例におけるブレード状突起を説明するための概略図である。
【００４２】
図７から図９（イ）において、第２の開口部１１８′（図９参照）は、ブレード状突起７２により、開かれる。前記第２の開口部１１８′の大きさは、それほど大きいものではなく、隙間が開く程度であってもよい。前記第２の開口部１１８′を開けるブレード状突起７２は、一部を残して連設されている第１の孔７３および第２の孔７４を互いに折り曲げて、背中合わせにしたものであり、かつ、第２の溝部１１９とほぼ同じ形状に曲げられている。また、実際は、前記ブレード状突起７２は、図９に示されているよりもっと、先端部が尖り、第２の開口部１１８′が開け易いようになっている。
【００４３】
図９（ロ）に示すブレード状突起７２は、第２の孔７４のみとして、下方に折り曲げるとともに、第２の開口部１１８′に沿うように湾曲させて強度を得ている。
【００４４】
図９（イ）において、前記ブレード状突起７２の先端部は、前記第２の開口部１１８′の真上にある。第２の開口部１１８′を開ける際に、まず、タブ押圧部７１を押す。タブ押圧部７１の力は、距離がＬだけ離れている力点７５の下部にある前記ブレード状突起７２を介して、第２の開口部１１８′に加わる。前記距離Ｌは、タブ押圧部７１を押した時に梃子となって、少ない力で第２の開口部１１８′を開けることができる。
【００４５】
また、前記ブレード状突起７２は、図１０に示すように、前記第２の溝部１１９とほぼ同じように湾曲されているため、ブレード部分の強度が保持できる。すなわち、前記第１の孔７３および第２の孔７４は、互いに接近してブレード状突起部７２が成形されるととも、点線７３′で示すように第２の開口部１１８′に沿って湾曲している。また、前記第２の開口部１１８′は、前記梃子の作用と前記湾曲により強度が強くなったブレード状突起７２により少ない力で開けられるため、第２の溝部１１９を深く設ける必要がない。したがって、前記第２の開口部１１８′は、運搬中に誤って開くことがない。  
【００４６】
図１１は本発明の第３実施例におけるブレード状突起と異なる例を説明するための図である。図１１において、ブレード状突起８４は、突起の形状が多少緩やかである点で異なる。前記ブレード状突起８４の作製は、図１０と同様に、一部が接続した第１の孔８３および第２の孔８４を開けた後、互いに接近するように９０度曲げるられる。前記ブレード状突起８４は、図１０に示すより先端部の尖りかたを緩くして、第２の溝部１１９に長く沿うような湾曲を持たせている。前記ブレード状突起７２、８２は、図１０および図１１に正確に描かれていないが、タブの一部をプレス加工により前記第２の溝部１１９に沿った突起となれば、形状を特に限定しない。
【産業上の利用可能性】
【００４７】
以上、本発明の実施例を詳述したが、本発明は、前記実施例に限定されるものではなく、特許請求の範囲に記載された事項を逸脱することがなければ、種々の設計変更を行うことが可能である。本実施例に記載されている缶は、スリーピース等、公知または周知の技術によって作製できる。また、ステイオンタブおよび開口部、ステイオンタブの凸起部等の作製は、公知または周知の技術によって作製できる。ステイオンタブおよび孔等の形状は、特許請求の範囲に記載された事項を逸脱しないかぎりの変形を含む。
【００４８】
実施例は、ビール缶について説明したが、飲料、たとえば、ビールを含む酒類、ジュース類、お茶類（コーヒー、日本茶、その他の国のお茶も含む）、水、炭酸ガス入りの飲料等を入れるステイオンタブを備えた缶に適用できる。また、缶およびステイオンタブの材質は、前記同様に、公知または周知のものを使用することができる。
【図面の簡単な説明】
【００４９】
【図１】本発明の実施例であるステイオンタブを備えたビール缶を説明するための斜視図である。（実施例１）
【図２】本発明の実施例であるステイオンタブを備えた缶を説明するための側面図である。
【図３】本発明の実施例であるステイオンタブを備えた缶を説明するための平面図である。
【図４】本発明の第２実施例であるステイオンタブを備えたビール缶を説明するための断面図である。（実施例２）
【図５】本発明の第２実施例であるステイオンタブを備えたビール缶の平面図である。
【図６】本発明の第２実施例であるステイオンタブを備えたビール缶を開けた状態を説明するための断面図である。
【図７】本発明の第３実施例であるステイオンタブを備えたビール缶を説明するための概略断面図である。（実施例３）
【図８】本発明の第３実施例であるステイオンタブを備えたビール缶の平面図である。
【図９】（イ）は本発明の第３実施例であるステイオンタブを備えたビール缶の第２の開口部をブレード状突起で開ける際の状態を説明するための一部拡大概略断面図で、（ロ）は同じく変形例である。
【図１０】本発明の第３実施例におけるブレード状突起を説明するための概略図である。
【図１１】本発明の第３実施例におけるブレード状突起と異なる例を説明するための概略図である。
【符号の説明】
【００５０】
１１・・・缶
１１１・・・底部
１１１′・・・筒部
１１２・・・上面
１１３・・・リブ
１１４・・・ステイオンタブ
１１５・・・凸起部
１１６・・・固着部
１１７・・・第１の溝部
１１８・・・第１の開口部
１１８′・・・第２の開口部
１１９・・・第２の溝部
１２０・・・折り目
１２１・・・蓋取付用足
７１・・・タブ押圧部
７２・・・ブレード状突起
７３・・・第１の孔
７４・・・第２の孔
７５・・・力点
【図１】
2006160303.tif 000003
【図２】
2006160303.tif 000004
【図３】
2006160303.tif 000005
【図４】
2006160303.tif 000006
【図５】
2006160303.tif 000007
【図６】
2006160303.tif 000008
【図７】
2006160303.tif 000009
【図８】
2006160303.tif 000010
【図９】
2006160303.tif 000011
【図１０】
2006160303.tif 000012
【図１１】
2006160303.tif 000013